(57)【特許請求の範囲】
【請求項１】
円筒状に形成され軸心を中心として回転可能に構成されると共に隣り合って配置される２のリールと、そのリールを回転駆動する回転駆動手段とを有し、その回転駆動手段によって前記リールを回転駆動することにより、前記リールの外周面に付された複数の識別情報を動的表示するリールユニットを備えた遊技機であって、
前記２のリールの間に配置されると共に前記２のリールとそれぞれ係合する２の係合部を有し、それら２の係合部によって前記２のリールの径方向への変位を規制する１の規制手段を備え、
前記２の係合部は、隣り合って配置される前記２のリールと対向する各側面が、それぞれ開放された断面形状に形成されることを特徴とする遊技機。
【請求項２】
前記規制手段の係合部は、断面形状が溝状に形成され前記リールの外周部を挿入可能に構成されており、
前記係合部に前記リールが挿入されることにより、前記係合部が前記リールの外周部と径方向外側および径方向内側の両側で係合することを特徴とする請求項１記載の遊技機。
【発明の詳細な説明】
【技術分野】
【０００１】
本発明は、パチンコ機やスロットマシン等に代表される遊技機に関するものである。
【背景技術】
【０００２】
パチンコ機やスロットマシン等の遊技機の一例として、例えば、特許文献１には、円筒状に形成され軸心を中心として回転可能に構成されるリールと、そのリールを回転駆動する回転駆動手段とを有し、その回転駆動手段によってリールを回転駆動することにより、リールの外周面に付された複数の識別情報を動的表示するリールユニットを備えたスロットマシンが開示されている。
【先行技術文献】
【特許文献】
【０００３】
【特許文献１】特開２００２−５８７８３号
【発明の概要】
【発明が解決しようとする課題】
【０００４】
しかしながら、上述したように、軸心を中心としてリールを回転駆動する構造においては、回転時や回転の開始および停止時に、リールにぶれ（振れ）が生じ易く、スムーズにリールを回転させることができないという問題点があった。
【０００５】
本発明は、上記例示した問題点等を解決するためになされたものであり、回転に伴うリールのぶれを抑制して、スムーズにリールを回転させることができる遊技機を提供することを目的としている。
【課題を解決するための手段】
【０００６】
この目的を達成するために、請求項１記載の遊技機は、円筒状に形成され軸心を中心として回転可能に構成されると共に隣り合って配置される２のリールと、そのリールを回転駆動する回転駆動手段とを有し、その回転駆動手段によって前記リールを回転駆動することにより、前記リールの外周面に付された複数の識別情報を動的表示するリールユニットを備えるものであって、前記２のリールの間に配置されると共に前記２のリールとそれぞれ係合する２の係合部を有し、それら２の係合部によって前記２のリールの径方向への変位を規制する１の規制手段を備え、前記２の係合部は、隣り合って配置される前記２のリールと対向する各側面が、それぞれ開放された断面形状に形成されている。
【０００７】
請求項２記載の遊技機は、請求項１記載の遊技機において、前記規制手段の係合部は、断面形状が溝状に形成され前記リールの外周部を挿入可能に構成されており、前記係合部に前記リールが挿入されることにより、前記係合部が前記リールの外周部と径方向外側および径方向内側の両側で係合する。
【発明の効果】
【００１０】
請求項１記載の遊技機によれば、１の規制手段によって２のリールのぶれを抑制できるという効果がある。これにより、部品点数を削減して、リールユニット全体としての製造コストの低減を図ることができるという効果がある。
【００１１】
請求項２記載の遊技機によれば、請求項１記載の遊技機の奏する効果に加え、規制手段の係合部は、径方向への変位が最大となるリールの外周部と径方向外側および径方向内側の両側で係合するので、リールのぶれを効率良く且つ確実に抑制できるという効果がある。また、係合部がリールの外周部と径方向外側および径方向内側の両側で係合するので、係合部をリールの外周部の一部と係合させるだけで、リール全体の径方向への変位を規制できる。よって、係合部をリールの外周部と全周で係合させる必要がなく、規制手段を小型化できると共に、その分、設計自由度の向上を図ることができるという効果がある。
【図面の簡単な説明】
【００１４】
【図１】本発明の一実施形態におけるスロットマシンの斜視図である。
【図２】前面扉を開いた状態のスロットマシンの斜視図である。
【図３】第１実施形態におけるリールユニットの斜視図である。
【図４】リールユニットの分解斜視図である。
【図５】左リールユニットの分解斜視図である。
【図６】中リールユニットの分解斜視図である。
【図７】右リールユニットの分解斜視図である。
【図８】図３のＶＩＩＩ−ＶＩＩＩ線におけるリールユニットの断面を模式的に示した断面図である。
【図９】左リール、中リール、右リールの外周面を展開した展開図である。
【図１０】（ａ）は、図４のＸａ−Ｘａ線における第１規制部材の断面図であり、（ｂ）は、図４のＸｂ−Ｘｂ線における第２規制部材の断面図である。
【図１１】スロットマシンの電気的構成を示すブロック図である。
【図１２】第２実施形態におけるリールユニットの断面を模式的に示した断面図である。
【図１３】第３実施形態におけるリールユニットの断面を模式的に示した断面図である。
【図１４】第４実施形態におけるリールユニットの断面を模式的に示した断面図である。
【図１５】第５実施形態におけるリールユニットの断面を模式的に示した断面図である。
【図１６】第６実施形態におけるリールユニットの断面を模式的に示した断面図である。
【図１７】第７実施形態におけるリールユニットの断面を模式的に示した断面図である。
【発明を実施するための形態】
【００１５】
以下、本発明の好ましい実施形態について、添付図面を参照して説明する。なお、以下では、本発明を遊技機の一種であるスロットマシンに適用した場合の実施形態について説明する。図１は、本発明の一実施形態におけるスロットマシン１０の斜視図であり、図２は、前面扉１２を開いた状態のスロットマシン１０の斜視図である。
【００１６】
図１及び図２に示すように、スロットマシン１０は、その外殻を形成する筐体１１を備えている。図２に示すように、筐体１１は、木製のパネルを組み合わせることにより、全体として前面が開放された箱状に形成されている。なお、筐体１１は、木製のパネルを組み合わせて構成する以外に、合成樹脂製や金属製などのパネルを組み合わせて構成しても良く、或いは、合成樹脂材料や金属材料によって一体に形成しても良い。
【００１７】
筐体１１の前面には、前面扉１２が開閉可能に取り付けられている。即ち、図２に示すように、筐体１１には、その正面から見て左側上下２か所に軸状の支軸１３ａ，１３ｂが設けられ、前面扉１２には、支軸１３ａ，１３ｂが挿入される挿入孔（図示せず）を有する軸受部１４ａ，１４ｂが各支軸１３ａ，１３ｂと対応する位置に設けられており、各支軸１３ａ，１３ｂが各軸受部１４ａ，１４ｂの挿入孔に挿入されることにより、前面扉１２が筐体１１に対して両支軸１３ａ，１３ｂを結ぶ上下方向へ延びる開閉軸を中心として開閉可能に支持されている。
【００１８】
図２に示すように、前面扉１２の裏面には、開閉軸と反対側に施錠装置１５が設けられており、この施錠装置１５によって前面扉１２を筺体１１に対して施錠可能に構成されている。また、前面扉１２の前面には、その右側上部にキーシリンダ１６が設けられており、キーシリンダ１６に対する所定のキー操作によって、施錠装置１５による前面扉１２の施錠を解除可能に構成されている。
【００１９】
図１に示すように、前面扉１２の中央部上寄りには、遊技者に遊技状態を報知する遊技パネル１７が設けられている。遊技パネル１７には、３つの表示窓１８Ｌ，１８Ｍ，１８Ｒが横並びに形成されており、各表示窓１８Ｌ，１８Ｍ，１８Ｒを通じてスロットマシン１０の内部が視認可能となっている。なお、３つの表示窓１８Ｌ，１８Ｍ，１８Ｒを１つにまとめて共通の表示窓としても良い。
【００２０】
図２に示すように、筐体１１は、その内部が仕切り板１１ａによって上下２分割されており、仕切り板１１ａの上部には、リールユニット１００が取り付けられている。リールユニット１００は、円筒状に形成された左リール１０１Ｌ、中リール１０１Ｍ、右リール１０１Ｒを備えている。各リール１０１Ｌ，１０１Ｍ，１０１Ｒは、各表示窓１８Ｌ，１８Ｍ，１８Ｒと対応する位置に配置されており、各リール１０１Ｌ，１０１Ｍ，１０１Ｒの外周面の一部が表示窓１８Ｌ，１８Ｍ，１８Ｒを通じて視認可能となっている。また、各リール１０１Ｌ，１０１Ｍ，１０１Ｒは、その軸心を中心として回転可能に構成されており、各リール１０１Ｌ，１０１Ｍ，１０１Ｒの軸心は、略水平方向に延びる一直線上に位置している。なお、リールユニット１００の詳細構成については、図３から図１０を参照して後述する。
【００２１】
リールユニット１００の上方には、遊技を統括管理する主制御装置５０（図１１参照）が取り付けられている。主制御装置５０は、主たる制御を司るＭＰＵ（Ｍｉｃｒｏ  Ｐｒｏｃｅｓｓｉｎｇ  Ｕｎｉｔ）５１、遊技プログラムを記憶したＲＯＭ（Ｒｅａｄ  Ｏｎｌｙ  Ｍｅｍｏｒｙ）５２、遊技の進行に応じた必要なデータを一時的に記憶するＲＡＭ（Ｒａｎｄｏｍ  Ａｃｃｅｓｓ  Ｍｅｍｏｒｙ）５３、各種機器との連絡をとる入出力ポート５４、時間計数や同期を図る場合などに使用されるクロック回路５５等が主基板に実装されており、透明樹脂材料などによって形成される基板ボックス（図示せず）に主基板が収容されている。かかる基板ボックスは、開口部を有する箱状のボックスベースと、そのボックスベースの開口部を覆うボックスカバーとを備え、それらボックスベースとボックスカバーとが封印ユニットによって開封不能に連結されている。但し、ボックスベースとボックスカバーとを鍵部材などを用いて開封不能に連結する構成としても良い。
【００２２】
図１に示すように、遊技パネル１７の下方左側には、遊技を開始する際に遊技者によって操作されるスタートレバー１９が設けられている。スタートレバー１９は、各リール１０１Ｌ，１０１Ｍ，１０１Ｒの回転を開始させるためのものであり、所定数のメダル（遊技媒体）が投入された状態でスタートレバー１９が操作されると、各リール１０１Ｌ，１０１Ｍ，１０１Ｒの回転が開始される。
【００２３】
スタートレバー１９の右側には、回転している各リール１０１Ｌ，１０１Ｍ，１０１Ｒを個別に停止させるためのストップスイッチ２０，２１，２２が設けられている。各ストップスイッチ２０，２１，２２は、停止対象となるリール１０１Ｌ，１０１Ｍ，１０１Ｒに対応する表示窓１８Ｌ，１８Ｍ，１８Ｒの直下にそれぞれ配置されている。
【００２４】
表示窓１８Ｌ，１８Ｍ，１８Ｒの下方右側には、メダルを投入するためのメダル投入口２３が設けられている。メダル投入口２３から投入されたメダルは、前面扉１２の裏面に設けられたセレクタ２４（図２参照）によって貯留用通路２５又は排出用通路２６のいずれかに導かれる。具体的には、図２に示すように、セレクタ２４にはメダル通路切替ソレノイド２７が設けられており、メダル通路切替ソレノイド２７の非励磁時にはメダルが排出用通路２６に導かれる一方、メダル通路切替ソレノイド２７の励磁時にはメダルが貯留用通路２５に導かれる。そして、貯留用通路２５に導かれたメダルは、筐体１１内に配置されたホッパ装置４１に導かれる。一方、排出用通路２６に導かれたメダルは、前面扉１２の前面下部に設けられたメダル排出口２８からメダル受け皿２９に導かれ、遊技者に返還される。
【００２５】
メダル投入口２３の下方には、ボタン状の返却スイッチ３０が設けられている。メダル投入口２３に投入されたメダルがセレクタ２４内に詰まった場合には、この返却スイッチ３０が操作されることにより、セレクタ２４が機械的に連動して動作され、セレクタ２４内に詰まったメダルがメダル排出口２８から返却される。
【００２６】
スタートレバー１９の左側には、精算スイッチ３１が設けられている。本実施形態におけるスロットマシン１０では、余剰の投入メダルや入賞時の払出メダルを仮想メダルとして所定数（メダル５０枚分）まで貯留記憶するクレジット機能を有しており、仮想メダルが貯留記憶されている状態で精算スイッチ３１が操作された場合には、仮想メダルが現実のメダルとしてメダル排出口２８から払い出される。
【００２７】
表示窓１８Ｌ，１８Ｍ，１８Ｒの下方左側には、仮想メダルを一度に３枚投入するための第１クレジット投入スイッチ３２が設けられている。また、第１クレジット投入スイッチ３２の左側には、第２クレジット投入スイッチ３３及び第３クレジット投入スイッチ３４が設けられている。第２クレジット投入スイッチ３３は仮想メダルを一度に２枚投入するためのものであり、第３クレジット投入スイッチ３４は仮想メダルを１枚投入するためのものである。
【００２８】
遊技パネル１７の表示窓１８Ｌ，１８Ｍ，１８Ｒの下方には、仮想メダル数を表示するクレジット表示部３５と、ボーナス状態（特別遊技状態）が終了するまでに払い出される残りのメダル数を表示する残払出枚数表示部３６と、入賞時に払い出したメダルの枚数を表示する払出枚数表示部３７とが設けられている。これら各表示部３５，３６，３７は７セグメント表示器によって構成されている。但し、各表示部３５，３６，３７を液晶表示器などによって代替することは当然可能である。
【００２９】
前面扉１２の上部には、遊技の進行に伴い点灯または点滅するランプ３８と、種々の効果音を鳴らしたり遊技者に遊技状態を報知するスピーカ３９と、遊技者に各種情報を与える補助表示部４０とが設けられている。補助表示部４０は、各種表示演出を実行したり電源投入時やエラー発生時にその状態を報知するためのものである。なお、図２に示すように、前面扉１２の裏面上部には、ランプ３８やスピーカ３９、補助表示部４０を駆動させるための表示制御装置６０が取り付けられている。
【００３０】
図２に示すように、ホッパ装置４１は、メダルを貯留する貯留タンク４２と、メダルを遊技者に払い出す払出装置４３とを備えている。払出装置４３は、排出用通路２６に設けられた開口２６ａにメダルを排出することにより、排出用通路２６を通じてメダル受け皿２９にメダルを払い出すように構成されている。また、ホッパ装置４１の右側には、貯留タンク４２から溢れるメダルを貯留する予備タンク４４が設けられている。ホッパ装置４１の貯留タンク４２内には、貯留タンク４２から予備タンク４４にメダルを導く誘導プレート４５が設けられており、誘導プレート４５が設けられた高さ以上に貯留タンク４２内にメダルが貯留された場合には、かかるメダルが予備タンク４４に誘導される。
【００３１】
ホッパ装置４１の左側には、電源ボックス４６が設けられている。電源ボックス４６は、その内部に電源装置７０（図１１参照）を収容するものであり、主制御装置５０を始めとする各部に電源を供給するための電源スイッチ４７や各種状態をリセットするためのリセットスイッチ４８、遊技の設定状態（各入賞態様の当選確率の設定）を変更するための設定キーが挿入される設定キー挿入孔４９等を備えている。
【００３２】
次に、リールユニット１００の詳細構成について、図３から図１０を参照して説明する。なお、以下では、リールユニット１００を本発明の遊技機におけるリールユニットの第１実施形態として説明する。図３は、第１実施形態におけるリールユニット１００の斜視図であり、図４は、リールユニット１００の分解斜視図である。図５は、左リールユニットＵＬの分解斜視図であり、図６は、中リールユニットＵＭの分解斜視図であり、図７は、右リールユニットＵＲの分解斜視図である。図８は、図３のＶＩＩＩ−ＶＩＩＩ線におけるリールユニット１００の断面を模式的に示した断面図である。なお、図３から図７では、発明の理解を容易とするため、左リール１０１Ｌ、中リール１０１Ｍ、右リール１０１Ｒは骨格のみを図示している。
【００３３】
図３及び図４に示すように、リールユニット１００は、左リール１０１Ｌ及び左リール用モータ１０２Ｌを有する左リールユニットＵＬと、中リール１０１Ｍ及び中リール用モータ１０２Ｍを有する中リールユニットＵＭと、右リール１０１Ｒ及び右リール用モータ１０２Ｒを有する右リールユニットＵＲと、それら各リールユニットＵＬ，ＵＭ，ＵＲを横並びで一体に支持するフレーム１０５とを主に備えている。なお、各リールユニットＵＬ，ＵＭ，ＵＲは、左リール用プレート１０３Ｌ、中リール用プレート１０３Ｍ、右リール用プレート１０３Ｒを介してフレーム１０５にそれぞれ取り付けられており、リールユニット１００は、フレーム１０５を介して筺体１１内の仕切り板１１ａに取り付けられている。
【００３４】
各リールユニットＵＬ，ＵＭ，ＵＲは、各リール用モータ１０２Ｌ，１０２Ｍ，１０２Ｒの駆動によって、各リール１０１Ｌ，１０１Ｍ，１０１Ｒが独立して個別に回転駆動するように構成されている。各リール用モータ１０２Ｌ，１０２Ｍ，１０２Ｒは、例えば５０４パルスの駆動信号（以下「励磁パルス」と称す）が主制御装置５０から入力されることにより１回転するように構成されており、励磁パルス数に基づいて各リール１０１Ｌ，１０１Ｍ，１０１Ｒの回転位置が制御される。また、各リールユニットＵＬ，ＵＭ，ＵＲには、各リール１０１Ｌ，１０１Ｍ，１０１Ｒが１回転したことを検出するリールインデックスセンサ１０４（図５、図６、図７参照）が取り付けられており、リールインデックスセンサ１０４によって各リール１０１Ｌ，１０１Ｍ，１０１Ｒが１回転したことが検出された場合には、その都度、検出信号が主制御装置５０に出力されるように構成されている。これにより、主制御装置５０は、各リールインデックスセンサ１０４から入力される検出信号と、その検出信号が入力されるまでに各リール用モータ１０２Ｌ，１０２Ｍ，１０２Ｒに出力した励磁パルス数とに基づいて、各リール１０１Ｌ，１０１Ｍ，１０１Ｒの回転位置を１回転毎に確認すると共に補正することができる。
【００３５】
各リール１０１Ｌ，１０１Ｍ，１０１Ｒの外周面には、その周方向に複数（本実施形態では２１個）の図柄（識別情報）が等間隔で付されており、これら複数の図柄のうち連続する３個の図柄が表示窓１８Ｌ，１８Ｍ，１８Ｒの上段、中段、下段の各位置に視認可能に構成されている。従って、表示窓１８Ｌ，１８Ｍ，１８Ｒの所定位置（上段、中段、下段）において、ある図柄から次の図柄へ図柄を切り替えるためには、主制御装置５０から各リール用モータ１０２Ｌ，１０２Ｍ，１０２Ｒに２４パルス（＝５０４パルス÷２１図柄）の励磁パルスの出力が必要とされる。また、主制御装置５０は、各リールインデックスセンサ１０４の検出信号が入力されてから各リール用モータ１０２Ｌ，１０２Ｍ，１０２Ｒに出力した励磁パルス数に基づいて、表示窓１８Ｌ，１８Ｍ，１８Ｒから視認可能な図柄を把握したり表示窓１８Ｌ，１８Ｍ，１８Ｒから視認可能な位置に所定の図柄を停止させることができる。
【００３６】
ここで、各リール１０１Ｌ，１０１Ｍ，１０１Ｒの外周面に付されている図柄について、図９を参照して説明する。図９は、左リール１０１Ｌ、中リール１０１Ｍ、右リール１０１Ｒの外周面を展開した展開図である。図９に示すように、各リール１０１Ｌ，１０１Ｍ，１０１Ｒの外周面には、それぞれ２１個の図柄が一列に付されている。なお、図９では、各図柄に対応して０〜２０までの番号が付されているが、この番号は各リール１０１Ｌ，１０１Ｍ，１０１Ｒに実際に付されているわけではない。以下の説明では、かかる番号を使用して説明する。
【００３７】
各リール１０１Ｌ，１０１Ｍ，１０１Ｒの外周面に付される図柄としては、「７」図柄（例えば、左リール１０１Ｌの２０番目）、「青年」図柄（例えば、左リール１０１Ｌの１９番目）、「リプレイ」図柄（例えば、左リール１０１Ｌの１８番目）、「チェリー」図柄（例えば、左リール１０１Ｌの１７番目）、「ベル」図柄（例えば、左リール１０１Ｌの１６番目）、「スイカ」図柄（例えば、左リール１０１Ｌの１５番目）、「スター」図柄（例えば、中リール１０１Ｌの１９番目）の６種類がある。また、各リール１０１Ｌ，１０１Ｍ，１０１Ｒにおいて各図柄の数や配置順序は全く異なっている。
【００３８】
なお、本実施形態におけるスロットマシン１０では、表示窓１８Ｌ，１８Ｍ，１８Ｒから視認可能な図柄に対して、左リール１０１Ｌの上段図柄、中リール１０１Ｍの上段図柄、右リール１０１Ｒの上段図柄を結んだラインＬ１と、左リール１０１Ｌの中段図柄、中リール１０１Ｍの中段図柄、右リール１０１Ｒの中段図柄を結んだラインＬ２と、左リール１０１Ｌの下段図柄、中リール１０１Ｍの下段図柄、右リール１０１Ｒの下段図柄を結んだラインＬ３と、左リール１０１Ｌの上段図柄、中リール１０１Ｍの中段図柄、右リール１０１Ｒの下段図柄を結んだラインＬ４と、左リール１０１Ｌの下段図柄、中リール１０１Ｍの中段図柄、右リール１０１Ｒの上段図柄を結んだラインＬ５との合計５本の組合せラインが設定されている（図１参照）。そして、有効化された組合せライン、即ち、有効ライン上に所定の組合せで図柄が停止した場合には、入賞成立として、メダルが所定数払い出される特典が付与されたり遊技状態が特別遊技状態へ移行される特典が付与される。
【００３９】
図５に示すように、左リール１０１Ｌは、右側面が開放された円筒状の左リール枠１１０によって骨格が形成されている。左リール枠１１０の外周面は、梯子状に形成されており、後述する左リール用バックライト１０６Ｌ（図６参照）の光を透過可能に構成されている。左リール枠１１０の中心部には、左リール用モータ１０２Ｌの回転軸が連結される連結部１１１が形成されている。連結部１１１は、左側面が開放されると共に左リール用モータ１０２Ｌの外形よりも内径が大きい円筒状に形成されており、その内部に左リール用モータ１０２Ｌを収容可能に構成されている。
【００４０】
左リール用モータ１０２Ｌは、左リール用プレート１０３Ｌに取り付けられており、左リール枠１１０の左側面から連結部１１１の内部に収容されている。これにより、左リール用モータ１０２Ｌを左リール枠１１０の枠内に配置できるので、左リール１０１Ｌと左リール用モータ１０２Ｌとを横並びに配置する場合と比較して、スペース上、左リール用モータ１０２Ｌを効率良く配置できる。また、左リール用モータ１０２Ｌを左リール枠１１０の左側面から枠内に配置することにより、左リール用モータ１０２Ｌをリールユニット１００の外部へ向けて配置できるので（図８参照）、左リール用モータ１０２Ｌから発せられる熱を効率良く放熱できる。
【００４１】
左リール用プレート１０３Ｌは、左リール枠１１０の左側に配置されており、左リール枠１１０の開放された右側面が左リール用プレート１０３Ｌによって閉塞されない状態となっている。
【００４２】
図６に示すように、中リール１０１Ｍは、右側面が開放された円筒状の中リール枠１２０によって骨格が形成されている。中リール枠１２０の外周面は、幅方向右側に形成される外面部１２２と、幅方向左側に形成される被収容部１２３とにより左右２等分されている。なお、外面部１２２の外径および幅は、左リール枠１１０の外径および外周面の幅とそれぞれ等しくされている。一方、被収容部１２３は、その外径が左リール枠１１０の内径よりも小さくされており、左リール枠１１０の枠内に収容可能に構成されている。これにより、左リール１０１Ｌと中リール１０１Ｍとを隣り合って配置するにあたり、中リール枠１２０の被収容部１２３を左リール枠１１０の枠内に重ね合わせて配置できるので（図８参照）、左リール枠１１０及び中リール枠１２０の枠内に連続する一体的なスペースを確保できる。また、連続する一体的なスペースを確保できるので、各リール枠１１０，１２０の枠内に独立したスペースを確保する場合と比較して、より大きなスペースを確保できる。なお、このスペースには、後述するように中継基板８０が収容されている。
【００４３】
外面部１２２は、梯子状に形成されており、後述する中リール用バックライト１０６Ｍの光を透過可能に構成されている。一方、被収容部１２３は、面状に形成されており、その周方向において後述する左リール用バックライト１０６Ｌの光を一様に透過可能に構成されている。
【００４４】
中リール枠１２０の中心部には、中リール用モータ１０２Ｍの回転軸が連結される収容部１２１が形成されている。収容部１２１は、左側面が開放されると共に左リール枠１１０の連結部１１１の外径よりも内径が大きい円筒状に形成されており、その内部に左リール枠１１０の連結部１１１を収容可能に構成されている。これにより、左リール１０１Ｌと中リール１０１Ｍとを隣り合って配置するにあたり、左リール枠１１０の連結部１１１を中リール枠１２０の収容部１２１に重ね合わせて配置できるので（図８参照）、左リール枠１１０に連結部１１１を有する構造にあっても、中リール枠１２０の被収容部１２３を左リール枠１１０の枠内に深く収容できる。よって、その分、中リール枠１２０の被収容部１２３を左リール枠１１０の枠内に大きく重ね合わせることができ、左リール枠１１０及び中リール枠１２０の枠内に大きなスペースを確保できる。
【００４５】
中リール用モータ１０２Ｍは、中リール用プレート１０３Ｍに取り付けられており、中リール枠１２０の右側面から枠内に収容されている。中リール用プレート１０３Ｍは、中リール枠１２０の右側に配置されているが、その幅が中リール枠１２０の内径よりも小さくされており、開放された中リール枠１２０の右側面全域が中リール用プレート１０３Ｍによって閉塞されることなく一部が開放された状態となっている。
【００４６】
図７に示すように、右リール１０１Ｒは、左側面が開放された円筒状の右リール枠１３０によって骨格が形成されている。右リール枠１３０の外周面は、梯子状に形成されており、後述する右リール用バックライト１０５Ｒ（図６参照）の光を透過可能に構成されている。なお、右リール枠１３０の外径および外周面の幅は、左リール枠１１０の外径および外周面の幅とそれぞれ等しくされている。右リール枠１３０の中心部には、右リール用モータ１０２Ｒの回転軸が連結される連結部１３１が形成されている。連結部１３１は、右側面が開放されると共に右リール用モータ１０２Ｒの外形よりも内径が大きい円筒状に形成されており、その内部に右リール用モータ１０２Ｒを収容可能に構成されている。
【００４７】
右リール用モータ１０２Ｒは、右リール用プレート１０３Ｒに取り付けられており、右リール枠１３０の右側面から連結部１３１の内部に収容されている。これにより、右リール用モータ１０２Ｒを右リール枠１３０の枠内に配置できるので、右リール１０１Ｒと右リール用モータ１０２Ｒとを横並びに配置する場合と比較して、スペース上、右リール用モータ１０２Ｒを効率良く配置できる。また、右リール用モータ１０２Ｒを右リール枠１３０の右側面から枠内に配置することにより、右リール用モータ１０２Ｒをリールユニット１００の外部へ向けて配置できるので（図８参照）、右リール用モータ１０２Ｒから発せられる熱を効率良く放熱できる。
【００４８】
右リール用プレート１０３Ｒは、右リール枠１３０の右側に配置されており、右リール枠１３０の開放された左側面が右リール用プレート１０３Ｒによって閉塞されない状態となっている。これにより、中リール１０１Ｍと右リール１０１Ｒとを隣り合って配置するにあたり、中リール１０１Ｍの開放された右側面と右リール１０１Ｒの開放された左側面とを互いに向かい合わせて配置できるので（図８参照）、中リール枠１２０及び右リール枠１３０の枠内に連続する一体的なスペースを確保できる。また、連続する一体的なスペースを確保できるので、各リール枠１２０，１３０の枠内に独立したスペースを確保する場合と比較して、より大きなスペースを確保できる。なお、このスペースには、後述するように中継基板８０が収容されている。
【００４９】
なお、本実施形態における右リール枠１３０及び右リール用モータ１０２Ｒは、左リール枠１１０及び左リール用モータ１０２Ｌとそれぞれ同一部品が使用されている。これにより、部品の共通化を図り、その分、リールユニット１００全体としての製造コストを低減できる。
【００５０】
各リール枠１１０，１２０，１３０の枠内に確保されたスペースには、各リール１０１Ｌ，１０１Ｍ，１０１Ｒの外周面に内側から光を照射する左リール用バックライト１０６Ｌ、中リール用バックライト１０６Ｍ、右リール用バックライト１０６Ｒが収容されている。図６に示すように、各リール用バックライト１０６Ｌ，１０６Ｍ，１０６Ｒは、中リール用プレート１０３Ｍに全て取り付けられており、各リール１０１Ｌ，１０１Ｍ，１０１Ｒの外周面と対応する位置に横並びに配置されている。これにより、各リール用バックライト１０６Ｌ，１０６Ｍ，１０６Ｒを一括して中リール用プレート１０３Ｍに取り付けできるので、各リール用バックライト１０６Ｌ，１０６Ｍ，１０６Ｒの電気配線（図示せず）を１か所に集約でき、各リール用バックライト１０６Ｌ，１０６Ｍ，１０６Ｒへの配線を簡素化できる。
【００５１】
各リール用バックライト１０６Ｌ，１０６Ｍ，１０６Ｒは、前面が開放された箱状に形成されている。各リール用バックライト１０６Ｌ，１０６Ｍ，１０６Ｒの内部は、上段、中段、下段に３分割されており、これら上段、中段、下段が各表示窓１８Ｌ，１８Ｍ，１８Ｒの上段、中段、下段に位置するように構成されている。各リール用バックライト１０６Ｌ，１０６Ｍ，１０６Ｒの上段、中段、下段には、光を発する発光ダイオード（図示せず）が設けられており、各表示窓１８Ｌ，１８Ｍ，１８Ｒの上段、中段、下段の位置において、各リール１０１Ｌ，１０１Ｍ，１０１Ｒの外周面に内側から光を照射可能に構成されている。ここで、上述したように、各リール枠１１０，１２０，１３０の外周面は、各リール用バックライト１０６Ｌ，１０６Ｍ，１０６Ｒの光を透過可能に構成されているので、各リール用バックライト１０６Ｌ，１０６Ｍ，１０６Ｒによって各リール１０１Ｌ，１０１Ｍ，１０１Ｒの外周面に内側から光が照射されると、各リール１０１Ｌ，１０１Ｍ，１０１Ｒの外周面を透過した光が表示窓１８Ｌ，１８Ｍ，１８Ｒを通じて遊技者に視認される。これにより、例えば、各リール用バックライト１０６Ｌ，１０６Ｍ，１０６Ｒの上段に設けられた発光ダイオードによって各リール１０１Ｌ，１０１Ｍ，１０１Ｒの外周面に内側から光が照射されると、各表示窓１８Ｌ，１８Ｍ，１８Ｒの上段に視認される図柄、即ち、ラインＬ１（図１参照）上の図柄を他の図柄よりも強調することができる。また、上述したように、中リール枠１２０の被収容部１２３は、面状に形成されており、その周方向において左リール用バックライト１０６Ｌの光を一様に透過可能に構成されているので、中リール１０１Ｍの回転時に、被収容部１２３を透過した左リール用バックライト１０６Ｌの光を一定の点灯した状態で遊技者に視認させることができる。即ち、中リール枠１２０の枠内であって被収容部１２３と対応する位置に配置された左リール用バックライト１０６Ｌによって左リール１０１Ｌの外周面に内側から光を照射する構造にあっては、例えば、被収容部１２３を梯子状に形成すると、中リール１０１Ｍの回転時に、左リール用バックライト１０６Ｌの光が被収容部１２３によって定期的に遮られ、かかる光が点滅しているかのように遊技者に視認される。これに対し、被収容部１２３を面状に形成して左リール用バックライト１０６Ｌの光を一様に透過可能に構成することにより、中リール１０１Ｍの回転時であっても、左リール用バックライト１０６Ｌの光を被収容部１２３によって遮ることなく、被収容部１２３を透過した左リール用バックライト１０６Ｌの光を一定の点灯した状態で遊技者に視認させることができる。
【００５２】
また、上述したように、各リール枠１１０，１２０，１３０の枠内に確保されたスペースには、主制御基板５０から各リール用バックライト１０６Ｌ，１０６Ｍ，１０６Ｒへの配線を中継する中継基板８０が収容されている。図６に示すように、中継基板８０は、中リール用プレート１０３Ｍに取り付けられており、左リール枠１１０及び中リール枠１２０の枠内に確保されたスペースから右リール枠１３０の枠内に確保されたスペースに跨って配置されている（図８参照）。これにより、中継基板８０を筺体１１内の他のスペースに配置する場合と比較して、スペース上、中継基板８０を効率良く配置できる。また、中継基板８０を筺体１１内の他のスペースに配置すると、その分、主制御装置５０やホッパ装置４１等の各種装置を配置するためのスペースが減少して、設計自由度が制約されてしまうところ、各リール枠１１０，１２０，１３０の枠内に中継基板８０を配置することにより、筺体１１内のスペースを確保して、設計自由度の向上を図ることができる。よって、遊技の更なる興趣向上を図るために各リール１０１Ｌ，１０１Ｍ，１０１Ｒの外周面に付された図柄の視認性を高めるべく、リールユニット１００の大型化を図ることができる。
【００５３】
図３及び図４に示すように、リールユニット１００には、各リール１０１Ｌ，１０１Ｍ，１０１Ｒの径方向への変位を規制するための第１規制部材１０７及び第２規制部材１０８が設けられている。各規制部材１０７，１０８は、フレーム１０５に取り付けられており、第１規制部材１０７は左リール１０１Ｌと中リール１０１Ｍとの間に、第２規制部材１０８は中リール１０１Ｍと右リール１０１Ｒとの間に、それぞれ配置されている。
【００５４】
第１規制部材１０７は、左リール１０１Ｌの径方向への変位を規制するためのものであり、左リール１０１Ｌの外周形状と対応する円環状に形成されている。第２規制部材１０８は、中リール１０１Ｍ及び右リール１０１Ｒの径方向への変位を規制するためのものであり、各リール１０１Ｍ，１０１Ｒの外周形状と対応する円環を略２等分した形状に形成されている。ここで、各規制部材１０７，１０８の断面形状について、図１０を参照して説明する。図１０（ａ）は、図４のＸａ−Ｘａ線における第１規制部材１０７の断面図であり、図１０（ｂ）は、図４のＸｂ−Ｘｂ線における第２規制部材１０８の断面図である。なお、発明の理解を容易とするため、図１０（ａ）では左リール枠１１０の一部を、図１０（ｂ）では中リール枠１２０及び右リール枠１３０の一部を、それぞれ一点鎖線で図示している。
【００５５】
図１０（ａ）に示すように、第１規制部材１０７は、左側面が開放されたコ字状の断面形状とされており、溝状の係合部１０７ａが形成されている。なお、第１規制部材１０７の断面形状は、その周方向において一様とされている。係合部１０７ａは、その間口が左リール枠１１０の外周面の厚みよりも大きくされており、左リール枠１１０の外周部を挿入可能に構成されている。これにより、係合部１０７ａが左リール１０１Ｌの外周部と全周かつ径方向外側および径方向内側の両側で係合することにより、係合部１０７ａによって左リール１０１Ｌの径方向への変位を規制できる。よって、回転時や回転の開始および停止時における左リール１０１Ｌの径方向への変位を第１規制部材１０７によって規制できるので、回転に伴う左リール１０１Ｌのぶれ（振れ）を抑制でき、スムーズに左リール１０１Ｌを回転させることができる。また、係合部１０７ａは、径方向への変位が最大となる左リール１０１Ｌの外周部と全周かつ径方向外側および径方向内側の両側で係合するので、左リール１０１Ｌのぶれを効率良く且つ確実に抑制できる。
【００５６】
図１０（ｂ）に示すように、第２規制部材１０８は、左側面および右側面がそれぞれ開放されたＨ字状の断面形状とされており、溝状の係合部１０８ａ，１０８ｂが形成されている。なお、第２規制部材１０８の断面形状は、その周方向において一様とされている。係合部１０８ａは、その間口が中リール枠１２０の外周面の厚みよりも大きくされており、中リール枠１２０の外周部を挿入可能に構成されている。これにより、係合部１０８ａが中リール１０１Ｍの外周部と径方向外側および径方向内側の両側で係合することにより、係合部１０８ａによって中リール１０１Ｍの径方向への変位を規制できる。よって、回転時や回転の開始および停止時における中リール１０１Ｍの径方向への変位を第２規制部材１０８によって規制できるので、回転に伴う中リール１０１Ｍのぶれ（振れ）を抑制でき、スムーズに中リール１０１Ｍを回転させることができる。また、係合部１０８ａは、径方向への変位が最大となる中リール１０１Ｍの外周部と径方向外側および径方向内側の両側で係合するので、中リール１０１Ｍのぶれを効率良く且つ確実に抑制できる。
【００５７】
凹部１０８ｂは、その間口が右リール枠１３０の外周面の厚みよりも大きくされており、右リール枠１３０の外周部を挿入可能に構成されている。これにより、係合部１０８ｂが右リール１０１Ｒの外周部と径方向外側および径方向内側の両側で係合することにより、係合部１０８ｂによって右リール１０１Ｒの径方向への変位を規制できる。よって、係合部１０８ａと同様に、回転時や回転の開始および停止時における右リール１０１Ｒの径方向への変位を第２規制部材１０８によって規制できるので、回転に伴う右リール１０１Ｒのぶれ（振れ）を抑制でき、スムーズに右リール１０１Ｒを回転させることができる。また、係合部１０８ｂは、径方向への変位が最大となる右リール１０１Ｒの外周部と径方向外側および径方向内側の両側で係合するので、右リール１０１Ｒのぶれを効率良く且つ確実に抑制できる。このように、第２規制部材１０８は、２の各リール１０１Ｍ，１０１Ｒの径方向への変位を２の係合部１０８ａ，１０８ｂによって規制できるので、１の第２規制部材１０８によって２の各リール１０１Ｍ，１０１Ｒのぶれを抑制できる。これにより、部品点数を削減して、リールユニット１００全体としての製造コストの低減を図ることができる。また、第２規制部材１０８は、係合部１０８ａ，１０８ｂが各リール１０１Ｍ，１０１Ｒの外周部と径方向外側および径方向内側の両側で係合するので、係合部１０８ａ，１０８ｂを各リール１０１Ｍ，１０１Ｒの外周部の一部と係合させるだけで、各リール１０１Ｍ，１０１Ｒ全体の径方向への変位を抑制できる。よって、係合部１０８ａ，１０８ｂを各リール１０１Ｍ，１０１Ｒの外周部と全周で係合させる必要がなく、第２規制部材１０８を小型化できると共に、その分、設計自由度の向上を図ることができる。
【００５８】
次に、スロットマシン１０の電気的構成について、図１１を参照して説明する。図１１は、スロットマシン１０の電気的構成を示すブロック図である。
【００５９】
主制御装置５０は、スロットマシン１０に内蔵されるメイン基板としての機能を果たすものであり、演算処理手段であるＭＰＵ５１を中心とするマイクロコンピュータが搭載されている。ＭＰＵ５１には、電源装置７０の他に、所定周波数の矩形波を出力するクロック回路５５や、入出力ポート５４等が内部バスを介して接続されている。
【００６０】
主制御装置５０の入力側には、各リール１１１，１２１，１３１が１回転したことを個別に検出するリールインデックスセンサ１０４、スタートレバー１９の操作を検出するスタート検出センサ１９ａ、各ストップスイッチ２０，２１，２２の操作を個別に検出するストップ検出センサ２０ａ，２１ａ，２２ａ、メダル投入口２３から投入されたメダルを検出する投入メダル検出センサ２３ａ、ホッパ装置４１から払い出されるメダルを検出する払出検出センサ４１ａ、各クレジット投入スイッチ３２，３３，３４の操作を個別に検出するクレジット投入検出センサ３２ａ，３３ａ，３４ａ、精算スイッチ３１の操作を検出する精算検出センサ３１ａ、リセットスイッチ４８の操作を検出するリセット検出センサ４８ａ、設定キー挿入孔４９に設定キーが挿入されたことを検出する設定キー検出センサ４９ａ等の各種センサが接続されており、これら各種センサからの信号は入出力ポート５４を介してＭＰＵ５１に出力されるように構成されている。
【００６１】
また、主制御装置５０の入力側には、入出力ポート５４を介して電源装置７０が接続されている。電源装置７０には、主制御装置５０を始めとするスロットマシン１０の各電子機器に駆動電力を供給する電源部７０ａや停電監視回路７０ｂ等が搭載されている。
【００６２】
停電監視回路７０ｂは、電源の遮断状態を監視し、停電時はもとより、電源スイッチ４７による電源遮断時に停電信号を生成するためのものである。このため、停電監視回路７０ｂは、電源部７０ａから出力される例えば直流１２ボルトの安定化駆動電圧を監視し、この駆動電圧が例えば１０ボルト未満まで低下した場合に電源が遮断されたものと判断して、停電信号が出力されるように構成されている。停電信号はＭＰＵ５１及び入出力ポート５４のそれぞれに供給され、ＭＰＵ５１では、この停電信号を認識することにより停電時処理が実行される。また、この停電信号は、表示制御装置６０にも供給されるように構成されている。
【００６３】
電源部７０ａは、出力電圧が例えば１０ボルト未満まで低下した場合でも、主制御装置５０等の制御系において駆動電圧として使用される例えば５ボルトの安定化電圧が出力されるように構成されている。この安定化電圧が出力される時間としては、主制御装置５０による停電時処理を実行するに十分な時間が確保されている。
【００６４】
主制御装置５０の出力側には、各リール１１１，１２１，１３１を回転駆動するための各リール用モータ１０２Ｌ，１０２Ｍ，１０２Ｒ、セレクタ２４に設けられたメダル通路切替ソレノイド２７、ホッパ装置４１、クレジット表示部３５、残払出枚数表示部３６、払出枚数表示部３７、表示制御装置６０、ホール管理装置（図示せず）等に情報を送信するための外部集中端子板９０等が入出力ポート５４を介して接続されている。
【００６５】
表示制御装置６０は、ランプ３８やスピーカ３９、補助表示部４０を駆動させるための制御装置であり、ＭＰＵ、画像コントローラ、各種メモリ等（いずれも図示せず）が実装された基板を備えている。そして、主制御装置５０からの信号を受け取った上で、表示制御装置６０が独自にランプ３８、スピーカ３９、補助表示部４０を駆動制御する。従って、表示制御装置６０は、遊技を統括管理するメイン基板たる主制御装置５０との関係では補助的な制御を実行するサブ基板となっている。なお、各表示部３５，３６，３７も表示制御装置６０によって駆動制御される構成としても良い。
【００６６】
ＭＰＵ５１には、このＭＰＵ５１によって実行される各種の制御プログラムや固定値データを記憶したＲＯＭ５２、そのＲＯＭ５２に記憶されている制御プログラムを実行するにあたって各種のデータを一時的に記憶する作業エリアを確保するためのＲＡＭ５３が内蔵されている。また、ＭＰＵ５１には、周知のように割込み回路を始めとしてタイマ回路、データ送受信回路などスロットマシン１０において必要な各種の処理回路や、クレジット枚数をカウントするクレジットカウンタなどの各種カウンタ（いずれも図示せず）も内蔵されている。
【００６７】
ＲＯＭ５２及びＲＡＭ５３は、記憶手段としてのメインメモリを構成するものであり、スロットマシン１０における各種処理を実行するためのプログラムは、制御プログラムの一部としてＲＯＭ５２に記憶されている。ＲＡＭ５３は、スロットマシン１０の電源が遮断された後においても電源装置７０からバックアップ電圧が供給されてデータを保持（バックアップ）できる構成となっており、ＲＡＭ５３には、各種のデータを一時的に記憶するためのメモリやエリアの他に、バックアップエリアが設けられている。
【００６８】
バックアップエリアは、停電等の発生により電源が遮断された場合において、電源遮断時（電源スイッチ４７の操作による電源遮断を含む）のスタックポインタの値を記憶しておくためのエリアであり、停電解消時（電源スイッチ４７の操作による電源投入を含む）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。
【００６９】
また、ＭＰＵ５１のＮＭＩ端子（ノンマスカブル割込端子）には、停電等の発生による電源遮断時に、停電監視回路７０ｂからの停電信号が入力されるように構成されている。そして、電源遮断時には、停電フラグ生成処理としてのＮＭＩ割込み処理が即座に実行されるように構成されている。
【００７０】
次に、第２実施形態におけるリールユニット２００について、図１２を参照して説明する。なお、以下では、第１実施形態と同一の部分については、同一の符号を付してその説明を省略する。図１２は、第２実施形態におけるリールユニット２００の断面を模式的に示した断面図である。なお、図１２は、第１実施形態におけるリールユニット１００の図８に対応する。
【００７１】
図１２に示すように、第２実施形態におけるリールユニット２００は、左リール１０１Ｌ及び左リール用モータ１０２Ｌを有する左リールユニットＵＬと、中リール１０１Ｍ及び中リール用モータ１０２Ｍを有する中リールユニットＵＭと、右リール２０１Ｒ及び右リール用モータ１０２Ｒを有する右リールユニットＵＲとを主に備えている。各リールユニットＵＬ，ＵＭ，ＵＲは、リール用プレート２０３に全て取り付けられており、各リール１０１Ｌ，１０１Ｍ，２０１Ｒが横並びに配置されている。
【００７２】
左リール用モータ１０２Ｌは、リール用プレート２０３に取り付けられており、中リール枠１２０の枠内に配置されている。また、左リール用モータ１０２Ｌは、その回転軸が中リール枠１２０を貫通して左リール枠１１０の連結部１１１に連結されている。中リール用モータ１０２Ｍは、中リール１０１Ｍの軸心から偏心した位置においてリール用プレート２０３に取り付けられており、中リール枠１２０の枠内に配置されている。また、中リール用モータ１０２Ｍは、その回転軸が伝達機構２０９を介して中リール枠１２０の収容部１２１に連結されている。伝達機構２０９は、中リール用モータ１０２Ｍの駆動力を中リール枠１２０に伝達するものであり、歯車機構によって構成されている。但し、伝達機構２０９を他の機構（例えばベルト機構）によって代替することは当然可能である。リール用プレート２０３は、中リール枠１２０の右側に配置されているが、その幅が中リール枠１２０の内径よりも小さくされており、中リール枠１２０の開放された右側面全域がリール用プレート２０３によって閉塞されることなく一部が開放された状態となっている。
【００７３】
右リール２０１Ｒは、左側面が開放された円筒状の右リール枠２３０によって骨格が形成されている。これにより、中リール１０１Ｍと右リール２０１Ｒとを隣り合って配置するにあたり、中リール１０１Ｍの開放された右側面と右リール２０１Ｒの開放された左側面とを互いに向かい合わせて配置できるので、中リール枠１２０及び右リール枠２３０の枠内に連続する一体的なスペースを確保できる。また、連続する一体的なスペースを確保できるので、各リール枠１２０，２３０の枠内に独立したスペースを確保する場合と比較して、より大きなスペースを確保できる。
【００７４】
各リール枠１１０，１２０，２３０の枠内に確保されたスペースには、中継基板８０が収容されている。中継基板８０は、リール用プレート２０３に取り付けられており、左リール枠１１０及び中リール枠１２０の枠内に確保されたスペースから右リール枠２３０の枠内に確保されたスペースに跨って配置されている。これにより、第１実施形態の場合と同様に、筺体１１内のスペースを確保して、設計自由度の向上を図ることができる。
【００７５】
右リール用モータ１０２Ｒは、リール用プレート２０３に取り付けられており、右リール枠２３０の枠内に配置されている。なお、右リール用モータ１０２Ｒは、その回転軸が右リール枠２３０の右側面に連結されている。また、リール用プレート２０３には、各リール用バックライト１０６Ｌ，１０６Ｍ，１０６Ｒが全て取り付けられており、各リール１０１Ｌ，１０１Ｍ，２０１Ｒの外周面と対応する位置に横並びに配置されている。
【００７６】
以上のように、第２実施形態におけるリールユニット２００によれば、各リール用モータ１０２Ｌ，１０２Ｍ，１０２Ｒを一括してリール用プレート２０３に取り付けできるので、各リール用モータ１０２Ｌ，１０２Ｍ，１０２Ｒの電気配線（図示せず）を１か所に集約でき、各リール用モータ１０２Ｌ，１０２Ｍ，１０２Ｒへの配線を簡素化できる。また、各リール用モータ１０２Ｌ，１０２Ｍ，１０２Ｒと各リール用バックライト１０６Ｌ，１０６Ｍ，１０６Ｒとを一括してリール用プレート２０３に取り付けできるので、各リール用モータ１０２Ｌ，１０２Ｍ，１０２Ｒ及び各リール用バックライト１０６Ｌ，１０６Ｍ，１０６Ｒの電気配線をリール用プレート２０３の１か所に集約でき、各リール用モータ１０２Ｌ，１０２Ｍ，１０２Ｒ及び各リール用バックライト１０６Ｌ，１０６Ｍ，１０６Ｒへの配線を簡素化できる。
【００７７】
次に、第３実施形態におけるリールユニット３００について、図１３を参照して説明する。なお、以下では、上記各実施形態と同一の部分については、同一の符号を付してその説明を省略する。図１３は、第３実施形態におけるリールユニット３００の断面を模式的に示した断面図である。なお、図１３は、第１実施形態におけるリールユニット１００の図８に対応する。
【００７８】
図１３に示すように、第３実施形態におけるリールユニット３００は、第１実施形態におけるリールユニット１００の左リールユニットＵＬ及び中リールユニットＵＭを中リール用プレート１０３Ｍを中心として左右対称に配置して構成されている。これにより、中リール１０１Ｍを左右に隣り合って配置するにあたり、中リール１０１Ｍの開放された側面を互いに向かい合わせて配置できるので、左リール枠１１０及び中リール枠１２０の枠内に連続する一体的なスペースを確保できる。
【００７９】
各リール枠１１０，１２０の枠内に確保されたスペースには、中継基板８０が収容されている。中継基板８０は、中リール用プレート１０３Ｍに取り付けられており、左リール枠１１０及び中リール枠１２０の枠内に確保されたスペースに跨って配置されている。これにより、上記各実施形態の場合と同様に、筺体１１内のスペースを確保して、設計自由度の向上を図ることができる。
【００８０】
以上のように、第３実施形態におけるリールユニット３００によれば、第１実施形態におけるリールユニット１００の左リールユニットＵＬ及び中リールユニットＵＭを左右対称に配置することにより、第１実施形態におけるリールユニット１００と比較して、より大きなスペースを確保できる。
【００８１】
次に、第４実施形態におけるリールユニット４００について、図１４を参照して説明する。なお、以下では、上記各実施形態と同一の部分については、同一の符号を付してその説明を省略する。図１４は、第４実施形態におけるリールユニット４００の断面を模式的に示した断面図である。なお、図１４は、第１実施形態におけるリールユニット１００の図８に対応する。
【００８２】
図１４に示すように、第４実施形態におけるリールユニット４００は、第２実施形態におけるリールユニット２００の左リールユニットＵＬ及び中リールユニットＵＭをリール用プレート２０３を中心として左右対称に配置して構成されている。これにより、中リール１０１Ｍを左右に隣り合わせて配置するにあたり、中リール１０１Ｍの開放された側面を互いに向かい合わせて配置できるので、左リール枠１１０及び中リール枠１２０の枠内に連続する一体的なスペースを確保できる。
【００８３】
各リール枠１１０，１２０の枠内に確保されたスペースには、中継基板８０が収容されている。中継基板８０は、リール用プレート２０３に取り付けられており、左リール枠１１０及び中リール枠１２０の枠内に確保されたスペースに跨って配置されている。これにより、上記各実施形態の場合と同様に、筺体１１内のスペースを確保して、設計自由度の向上を図ることができる。
【００８４】
以上のように、第４実施形態におけるリールユニット４００によれば、第２実施形態におけるリールユニット２００の左リールユニットＵＬ及び中リールユニットＵＭを左右対称に配置することにより、第２実施形態におけるリールユニット２００と比較して、より大きなスペースを確保できる。
【００８５】
次に、第５実施形態におけるリールユニット５００について、図１５を参照して説明する。なお、以下では、上記各実施形態と同一の部分については、同一の符号を付してその説明を省略する。図１５は、第５実施形態におけるリールユニット５００の断面を模式的に示した断面図である。なお、図１５は、第１実施形態におけるリールユニット１００の図８に対応する。
【００８６】
図１５に示すように、第５実施形態におけるリールユニット５００は、左リール５０１Ｌ及び左リール用モータ１０２Ｌを有する左リールユニットＵＬと、中リール５０１Ｍ及び中リール用モータ１０２Ｍを有する中リールユニットＵＭと、右リール２０１Ｒ及び右リール用モータ１０２Ｒを有する右リールユニットＵＲとを主に備えている。各リールユニットＵＬ，ＵＭ，ＵＲは、各リール５０１Ｌ，５０１Ｍ，２０１Ｒが横並びに配置されている。
【００８７】
左リール５０１Ｌは、右側面が開放された円筒状の左リール枠５１０によって骨格が形成されている。左リール用モータ１０２Ｌは、左リール用プレート５０３Ｌに取り付けられており、左リール枠５１０の枠内に配置されている。なお、左リール用モータ１０２Ｌは、その回転軸が左リール枠５１０の左側面に連結されている。中リール５０１Ｍは、右側面が開放された円筒状の中リール枠５２０によって骨格が形成されている。中リール用モータ１０２Ｍは、リール用プレート５０３Ｒに取り付けられており、中リール枠５２０の枠内に配置されている。なお、中リール用モータ１０２Ｍは、その回転軸が中リール枠５２０の左側面に連結されている。同様に、右リール用モータ１０２Ｒも、リール用プレートプレート５０３Ｒに取り付けられており、右リール枠２３０の枠内に配置されている。なお、右リール用モータ１０２Ｍは、その回転軸が右リール枠２３０の右側面に連結されている。
【００８８】
リール用プレート５０３Ｒは、中リール枠５２０の右側および右リール枠２３０の左側に配置されているが、その幅が中リール枠５２０の内径および右リール枠２３０の内径よりも小さくされており、中リール枠５２０の開放された右側面全域および右リール枠２３０の開放された左側面全域がリール用プレート５０３Ｒによって閉塞されることなく一部が開放された状態となっている。これにより、中リール５０１Ｍと右リール２０１Ｒとを隣り合って配置するにあたり、中リール５０１Ｍの開放された右側面と右リール２０１Ｒの開放された左側面とを互いに向かい合わせて配置できるので、中リール枠５２０及び右リール枠２３０の枠内に連続する一体的なスペースを確保できる。また、連続する一体的なスペースを確保できるので、各リール枠５２０，２３０の枠内に独立したスペースを確保する場合と比較して、より大きなスペースを確保できる。
【００８９】
中リール枠５２０及び右リール枠２３０の枠内に確保されたスペースには、中継基板８０が収容されている。中継基板８０は、リール用プレート５０３Ｒに取り付けられており、中リール枠５２０の枠内に確保されたスペースから右リール枠２３０の枠内に確保されたスペースに跨って配置されている。これにより、上記各実施形態の場合と同様に、筺体１１内のスペースを確保して、設計自由度の向上を図ることができる。また、リール用プレート５０３Ｒには、中リール用バックライト１０６Ｍ及び右リール用バックライト１０６Ｒが取り付けられており、中リール５０１Ｍ及び右リール２０１Ｒの外周面と対応する位置に横並びに配置されている。
【００９０】
以上のように、第５実施形態におけるリールユニット５００によれば、中リール用モータ１０２Ｍ及び右リール用モータ１０２Ｒを一括してリール用プレート５０３Ｒに取り付けできるので、各リール用モータ１０２Ｍ，１０２Ｒの電気配線（図示せず）を１か所に集約でき、各リール用モータ１０２Ｍ，１０２Ｒへの配線を簡素化できる。また、各リール用モータ１０２Ｍ，１０２Ｒと各リール用バックライト１０６Ｍ，１０６Ｒとを一括してリール用プレート５０３Ｒに取り付けできるので、各リール用モータ１０２Ｍ，１０２Ｒ及び各リール用バックライト１０６Ｍ，１０６Ｒの電気配線をリール用プレート５０３Ｒの１か所に集約でき、各リール用モータ１０２Ｍ，１０２Ｒ及び各リール用バックライト１０６Ｍ，１０６Ｒへの配線を簡素化できる。
【００９１】
次に、第６実施形態におけるリールユニット６００について、図１６を参照して説明する。なお、以下では、上記各実施形態と同一の部分については、同一の符号を付してその説明を省略する。図１６は、第６実施形態におけるリールユニット６００の断面を模式的に示した断面図である。なお、図１６は、第１実施形態におけるリールユニット１００の図８に対応する。
【００９２】
図１６に示すように、第６実施形態におけるリールユニット６００は、左リール５０１Ｌ及び左リール用モータ１０２Ｌを有する左リールユニットＵＬと、中リール５０１Ｍ及び中リール用モータ１０２Ｍを有する中リールユニットＵＭと、右リール１０１Ｒ及び右リール用モータ１０２Ｒを有する右リールユニットＵＲとを主に備えている。各リールユニットＵＬ，ＵＭ，ＵＲは、左リール用プレート５０３Ｌ，中リール用プレート６０３Ｍ，右リール用プレート１０３Ｒに独立して個別に取り付けられており、各リール５０１Ｌ，５０１Ｍ，１０１Ｒが横並びに配置されている。
【００９３】
中リール用プレート６０３Ｍは、中リール枠５２０の右側および右リール枠１３０の左側に配置されているが、その幅が中リール枠５２０の内径および右リール枠１３０の内径よりも小さくされており、中リール枠５２０の開放された右側面全域および右リール枠１３０の開放された左側面全域が中リール用プレート６０３Ｍによって閉塞されることなく一部が開放された状態となっている。これにより、中リール５０１Ｍと右リール１０１Ｒとを隣り合って配置するにあたり、中リール５０１Ｍの開放された右側面と右リール１０１Ｒの開放された左側面とを互いに向かい合わせて配置できるので、中リール枠５２０及び右リール枠１３０の枠内に連続する一体的なスペースを確保できる。また、連続する一体的なスペースを確保できるので、各リール枠５２０，１３０の枠内に独立したスペースを確保する場合と比較して、より大きなスペースを確保できる。
【００９４】
中リール枠５２０及び右リール枠１３０の枠内に確保されたスペースには、中継基板８０が収容されている。中継基板８０は、中リール用プレート６０３Ｍに取り付けられており、中リール枠５２０の枠内に確保されたスペースから右リール枠１３０の枠内に確保されたスペースに跨って配置されている。これにより、上記各実施形態の場合と同様に、筺体１１内のスペースを確保して、設計自由度の向上を図ることができる。また、中リール用プレート６０３Ｍには、中リール用バックライト１０６Ｍ及び右リール用バックライト１０６Ｒが取り付けられており、中リール５０１Ｍ及び右リール１０１Ｒの外周面と対応する位置に横並びに配置されている。
【００９５】
以上のように、第６実施形態におけるリールユニット６００によれば、各リールユニットＵＬ，ＵＭ，ＵＲが左リール用プレート５０３Ｌ，中リール用プレート６０３Ｍ，右リール用プレート１０３Ｒに独立して個別に取り付けできるので、荷重の重い各リール用モータ１０２Ｌ，１０２Ｍ，１０２Ｒを分散して支持でき、リールユニット６００全体としての強度を確保できる。
【００９６】
以上、実施形態に基づき本発明を説明したが、本発明は上記実施形態に何ら限定されるものではなく、本発明の趣旨を逸脱しない範囲内で種々の変形改良が可能であることは容易に推察できるものである。
【００９７】
上記各実施形態における構成の一部または全部を他の実施形態における構成の一部または全部と組み合わせることは当然可能である。例えば、上記第１実施形態におけるリールユニット１００において、右リールユニットＵＲを第２実施形態におけるリールユニット２００の右リールユニットＵＲによって構成しても良い。この場合には、右リール用モータ１０２Ｒを中リール用プレート１０３Ｍに取り付けることにより、中リール用モータ１０２Ｍ及び右リール用モータ１０２Ｒを一括して中リール用プレート１０３Ｍに取り付けできるので、各リール用モータ１０２Ｍ，１０２Ｒの電気配線を１か所に集約でき、各リール用モータ１０２Ｍ，１０２Ｒへの配線を簡素化できる。また、上記第５及び第６実施形態におけるリールユニット５００，６００において、左リールユニットＵＬを第１実施形態におけるリールユニット１００の左リールユニットＵＬによって構成しても良い。この場合には、左リール用モータ１０２Ｌを左リール枠１１０の左側面から枠内に配置することにより、左リール用モータ１０２Ｌをリールユニット５００，６００の外部へ向けて配置できるので、左リール用モータ１０２Ｌから発せられる熱を効率良く放熱できる。
【００９８】
上記第１及び第２実施形態では、左リール１０１Ｌと中リール１０１Ｍとを重ね合わせて配置する場合を説明したが、必ずしもこれに限られるものではなく、各実施形態におけるリールユニット１００，２００を中リールユニットＵＭを中心として左右対称に配置することにより、中リールと右リールとを重ね合わせて配置しても良い。
【００９９】
また、上記第１及び第２実施形態では、中リール１０１Ｍと右リール１０１Ｒ，２０１Ｒとを互いに開放された側面を向かい合わせて配置すると共に、上記第５及び第６実施形態では、中リール５０１Ｍと右リール２０１Ｒ，１０１Ｒとを互いに開放された側面を向かい合わせて配置する場合を説明したが、必ずしもこれに限られるものではなく、各実施形態におけるリールユニット１００，２００，５００，６００を中リールユニットＵＭを中心として左右対称に配置することにより、左リールと中リールとを互いに開放された側面を向かい合わせて配置しても良い。
【０１００】
上記各実施形態では、各リール枠１１０，１２０，１３０，２３０，５２０の枠内に確保されたスペースに中継基板８０を収容する場合を説明したが、必ずしもこれに限られるものではなく、中継基板８０に代えて、或いは、中継基板８０と共に、他の部品を収容することは当然可能である。他の部品としては、例えば、主制御装置５０が例示される。この場合には、各リール枠１１０，１２０，１３０，２３０，５２０の枠内に確保されたスペースに主制御装置５０を収容することにより、外部から主制御装置５０への接触を困難にできるので、主制御装置５０に対して行われる不正行為を防止できる。また、上記各実施形態では説明を省略したが、例えば、各種表示演出を実行して遊技者に各種情報を与える表示装置をかかるスペースに収容すると共に、その表示装置を各リール１０１Ｌ，１０１Ｍ，１０１Ｒ，２０１Ｒ，５０１Ｍの外周面を通じて視認可能に構成しても良い。この場合には、かかる表示装置で実行される各種表示演出によって、遊技の更なる興趣向上を図ることができる。
【０１０１】
上記第１実施形態では、第１規制部材１０７及び第２規制部材１０８を専用部品とする場合を説明したが、必ずしもこれに限られるものではなく、第１規制部材１０７の係合部１０７ａ及び第２規制部材１０８の係合部１０８ａ，１０８ｂに相当する係合部を、例えば、フレーム１０５、各リール用プレート１０３Ｌ，１０３Ｍ，１０３Ｒ，２０３，５０３Ｌ，５０３Ｒ，６０３Ｍに一体に形成しても良い。これにより、部品点数を削減して、製造コストの低減を図ることができる。なお、この場合には、フレーム１０５、各リール用プレート１０３Ｌ，１０３Ｍ，１０３Ｒ，２０３，５０３Ｌ，５０３Ｒ，６０３Ｍが規制手段に該当する。
【０１０２】
或いは、第１規制部材１０７の係合部１０７ａ及び第２規制部材１０８の係合部１０８ａ，１０８ｂに相当する係合部を、例えば、各リール１０１Ｌ，１０１Ｍ，１０１Ｒに一体に形成しても良い。その詳細について、図１７を参照して説明する。図１７は、第７実施形態におけるリールユニット７００の断面を模式的に示した断面図である。なお、図１７は、第１実施形態におけるリールユニット１００の図８に対応する。
【０１０３】
図１７に示すように、第１規制部材１０７の係合部１０７ａに相当する係合部７０７は、中リール１０１Ｍと一体に構成されている。係合部７０７は、中リール枠１２０と一体に形成されており、左リール枠１１０の外周部と係合可能に構成されている。また、第２規制部材１０８の係合部１０８ａに相当する係合部７０８は、右リール１０１Ｒと一体に構成されている。係合部７０８は、右リール枠１３０と一体に形成されており、中リール枠１２０の外周部と係合可能に構成されている。よって、中リール１０１Ｍに形成された係合部７０７によって左リール１０１Ｌの径方向への変位を規制できるので、左リール１０１Ｌのぶれを抑制するための専用部品を不要にできる。また、右リール１０１Ｒに形成された係合部７０８によって中リール１０１Ｍの径方向への変位を規制できるので、中リール１０１Ｍのぶれを抑制するための専用部品を不要にできる。これにより、部品点数を削減して、リールユニット１００全体としての製造コストの低減を図ることができる。なお、この場合には、中リール１０１Ｍが左リール１０１Ｌの径方向への変位を規制する規制手段に該当し、右リール１０１Ｒが中リール１０１Ｍの径方向への変位を規制する規制手段に該当する。
【０１０４】
上記第１実施形態では、第１規制部材１０７をコ字状の断面形状として係合部１０７ａを形成すると共に、第２規制部材１０８をＨ字状の断面形状として係合部１０８ａ，１０８ｂを形成する場合を説明したが、必ずしもこれに限られるものではなく、例えば、Ｌ字状の断面形状として係合部を形成しても良い。また、上記第１実施形態では、第１規制部材１０７の係合部１０７ａを左リール１０１Ｌの外周部と全周で係合させる場合を説明したが、必ずしもこれに限られるものではなく、係合部１０７ａを左リール１０１Ｌの外周部の一部のみと係合させるように構成しても良い。
【０１０５】
以下に、本発明の遊技機に加えて、上記各実施形態に含まれる各種発明の概念を示す。
【０１０６】
円筒状に形成され軸心を中心として回転可能に構成される複数のリールと、それら複数のリールを独立して回転駆動する回転駆動手段とを有し、その回転駆動手段によって前記複数のリールを回転駆動することにより、前記複数のリールの外周面にそれぞれ付された複数の識別情報を動的表示するリールユニットを備えた遊技機において、前記複数のリールは、第１リール枠によって骨格が形成される第１リールと、第２リール枠によって骨格が形成され前記第１リールと隣り合って配置される第２リールとを備え、前記第１リール枠は、前記第２リール枠と対面する側面が開放されると共に、前記第２リール枠は、前記第１リール枠の内径よりも外径が小さくされ前記第１リール枠の枠内に収容可能に形成される被収容部を備えており、前記第１リール枠の開放された側面から前記第１リール枠の枠内に前記第２リール枠の被収容部が収容されることにより、前記第２リール枠の被収容部が前記第１リール枠の枠内に重ね合わされた状態で配置されることを特徴とする遊技機Ａ１。
【０１０７】
遊技機Ａ１によれば、第１リール枠は、第２リール枠と対面する側面が開放されると共に、第２リール枠は、第１リール枠の内径よりも外径が小さくされ第１リール枠の枠内に収容可能に形成される被収容部を備えており、第１リール枠の開放された側面から第１リール枠の枠内に第２リール枠の被収容部が収容されることにより、第２リール枠の被収容部が第１リール枠の枠内に重ね合わされた状態で配置される。よって、第１リールと第２リールとを隣り合って配置するにあたり、第２リール枠の被収容部を第１リール枠の枠内に重ね合わせて配置できるので、第１リール枠および第２リール枠の枠内に連続する一体的なスペースを確保できる。また、連続する一体的なスペースを確保できるので、各リール枠の枠内に独立したスペースを確保する場合と比較して、より大きなスペースを確保できる。
【０１０８】
その結果、第１リール枠および第２リール枠の枠内に確保されたスペースに各種部品を配置できるので、それら各種部品を機内の他のスペースに配置する場合と比較して、スペース上、各種部品を効率良く配置できる。また、各種部品を機内の他のスペースに配置すると、その分、制御装置や払い出し装置などの各種装置を配置するためのスペースが減少して、設計自由度が制約されてしまうところ、各リール枠の枠内に各種部品を配置することにより、機内のスペースを確保して、設計自由度の向上を図ることができる。よって、遊技の更なる興趣向上を図るために各リールの外周面に付された識別情報の視認性を高めるべく、リールユニットの大型化を図ることができる。
【０１０９】
遊技機Ａ１において、前記第２リール枠の枠内であって前記被収容部と対応する位置に配置され前記第１リールの外周面に内側から光を照射する第１照射手段を備え、前記第２リール枠は、前記被収容部が面状に形成され前記第１照射手段の光を一様に透過可能に構成されていることを特徴とする遊技機Ａ２。
【０１１０】
遊技機Ａ２によれば、第２リール枠は、被収容部が面状に形成され第１照射手段の光を一様に透過可能に構成されているので、第２リールの回転時に、被収容部を透過した第１照射手段の光を一定の点灯した状態で遊技者に視認させることができる。即ち、第２リール枠の枠内であって被収容部と対応する位置に配置された第１照射手段によって第１リールの外周面に内側から光を照射する構造にあっては、例えば、被収容部を梯子状に形成すると、第２リールの回転時に、第１照射手段の光が被収容部によって定期的に遮られ、かかる光が点滅しているかのように遊技者に視認される。これに対し、被収容部を面状に形成して第１照射手段の光を一様に透過可能に構成することにより、第２リールの回転時であっても、第１照射手段の光を被収容部によって遮ることなく、被収容部を透過した第１照射手段の光を一定の点灯した状態で遊技者に視認させることができる。
【０１１１】
遊技機Ａ２において、前記第１照射手段が取り付けられる照射手段取付部材と、前記第２リール枠の枠内に配置され前記第２リールの外周面に内側から光を照射する第２照射手段とを備え、その第２照射手段は、前記第１照射手段と共に前記照射手段取付部材に取り付けられることを特徴とする遊技機Ａ３。
【０１１２】
遊技機Ａ３によれば、第１照射手段と第２照射手段とを一括して照射手段取付部材に取り付けできるので、各照射手段の電気配線を照射手段取付部材の１か所に集約でき、各照射手段への配線を簡素化できる。
【０１１３】
遊技機Ａ１からＡ３のいずれかにおいて、前記回転駆動手段は、前記第１リールを回転駆動する第１モータを備え、前記第１リール枠は、前記第１モータの回転軸が連結される連結部が中心部に形成され、その連結部は、前記第２リール枠と対面する側面とは反対側の側面が開放されると共に前記第１モータの外形よりも大きい内部空間を有する中空状に形成され前記内部空間に前記第１モータを収容可能に構成されており、前記連結部の開放された側面から前記内部空間に前記第１モータが収容されることにより、前記第１モータが前記第１リール枠の枠内に配置されることを特徴とする遊技機Ａ４。
【０１１４】
遊技機Ａ４によれば、第１モータを第１リール枠の枠内に配置できるので、第１リールと第１モータとを横並びに配置する場合と比較して、スペース上、第１モータを効率良く配置できる。また、第２リール枠と対面する側面とは反対側の側面から第１リール枠の枠内に第１モータを配置することにより、第１モータをリールユニットの外部へ向けて配置できるので、第１モータから発せられる熱を効率良く放熱できる。
【０１１５】
遊技機Ａ４において、前記第２リール枠は、収容部が中心部に形成され、その収容部は、前記第１リール枠と対面する側面が開放されると共に前記第１リール枠の連結部の外形よりも大きい内部空間を有する中空状に形成され前記内部空間に前記第１リール枠の連結部を収容可能に構成されており、前記第１リール枠の連結部が前記収容部の開放された側面から前記内部空間に収容されることにより、前記第１リール枠の連結部が前記第２リール枠の収容部に重ね合わされた状態で配置されることを特徴とする遊技機Ａ５。
【０１１６】
遊技機Ａ５によれば、第１リールと第２リールとを隣り合って配置するにあたり、第１リール枠の連結部を第２リール枠の収容部に重ね合わせて配置できるので、第１リール枠に連結部を有する構造にあっても、第２リール枠の被収容部を第１リール枠の枠内に深く収容できる。よって、その分、第２リール枠の被収容部を第１リール枠の枠内に大きく重ね合わせることができ、第１リール枠および第２リール枠の枠内に大きなスペースを確保できる。
【０１１７】
遊技機Ａ１からＡ３において、前記回転駆動手段は、前記第２リール枠の枠内に配置され前記第１リールを回転駆動する第１モータと、前記第２リール枠の枠内に配置され前記第２リールを回転駆動する第２モータとを備え、前記第１モータは、回転軸が前記第２リール枠を貫通して前記第１リール枠に連結されると共に、前記第２モータは、前記第２リール枠に回転駆動力を伝達する伝達機構を介して回転軸が前記第２リール枠に連結されており、前記第１モータが取り付けられるモータ取付部材を備え、前記第２モータは、前記第２リールの軸心から偏心した位置において前記第１モータと共に前記モータ取付部材に取り付けられることを特徴とする遊技機Ａ６。
【０１１８】
遊技機Ａ６によれば、第１モータと第２モータとを一括してモータ取付部材に取り付けできるので、各モータの電気配線をモータ取付部材の１か所に集約でき、各モータへの配線を簡素化できる。
【０１１９】
円筒状に形成され軸心を中心として回転可能に構成される複数のリールと、それら複数のリールを独立して回転駆動する回転駆動手段とを有し、その回転駆動手段によって前記複数のリールを回転駆動することにより、前記複数のリールの外周面にそれぞれ付された複数の識別情報を動的表示するリールユニットを備えた遊技機において、前記複数のリールは、第２リール枠によって骨格が形成される第２リールと、第３リール枠によって骨格が形成され前記第２リールと隣り合って配置される第３リールとを備え、前記第２リール枠は、前記第３リール枠と対面する側面が開放されると共に、前記第３リール枠は、前記第２リール枠と対面する側面が開放されており、前記第２リール枠の開放された側面と前記第３リール枠の開放された側面とが互いに向かい合う状態で配置されることを特徴とする遊技機Ｂ１。
【０１２０】
遊技機Ｂ１によれば、第２リール枠は、第３リール枠と対面する側面が開放されると共に、第３リール枠は、第２リール枠と対面する側面が開放されており、第２リール枠の開放された側面と第３リール枠の開放された側面とが互いに向かい合う状態で配置される。よって、第２リールと第３リールとを隣り合って配置するにあたり、第２リール枠の開放された側面と第３リール枠の開放された側面とを互いに向かい合わせて配置できるので、第２リール枠および第３リール枠の枠内に連続する一体的なスペースを確保できる。また、連続する一体的なスペースを確保できるので、各リール枠の枠内に独立したスペースを確保する場合と比較して、より大きなスペースを確保できる。
【０１２１】
その結果、第２リール枠および第３リール枠の枠内に確保されたスペースに跨って各種部品を配置できるので、それら各種部品を機内の他のスペースに配置する場合と比較して、スペース上、各種部品を効率良く配置できる。また、各種部品を機内の他のスペースに配置すると、その分、制御装置や払い出し装置などの各種装置を配置するためのスペースが減少して、設計自由度が制約されてしまうところ、各リール枠の枠内に各種部品を配置することにより、機内のスペースを確保して、設計自由度の向上を図ることができる。よって、遊技の更なる興趣向上を図るために各リールの外周面に付された識別情報の視認性を高めるべく、リールユニットの大型化を図ることができる。
【０１２２】
遊技機Ｂ１において、前記第２リール枠の枠内に配置され前記第２リールの外周面に内側から光を照射する第２照射手段と、前記第３リール枠の枠内に配置され前記第３リールの外周面に内側から光を照射する第３照射手段と、前記第２照射手段が取り付けられる照射手段取付部材とを備え、その照射手段取付部材は、前記第２リール枠と前記第３リール枠との間に配置されると共に前記第２リール枠の外径および前記第３リール枠の外径よりも小さく形成されており、前記第３照射手段は、前記第２照射手段と共に前記照射手段取付部材に取り付けられることを特徴とする遊技機Ｂ２。
【０１２３】
遊技機Ｂ２によれば、第２照射手段と第３照射手段とを一括して照射手段取付部材に取り付けできるので、各照射手段の電気配線を照射手段取付部材の１か所に集約でき、各照射手段への配線を簡素化できる。
【０１２４】
遊技機Ｂ１又はＢ２において、前記回転駆動手段は、前記第２リールを回転駆動する第２モータと、前記第３リールを回転駆動する第３モータとを備え、前記第２モータが取り付けられるモータ取付部材を備え、そのモータ取付部材は、前記第２リール枠と前記第３リール枠との間に配置されると共に前記第２リール枠の外径および前記第３リール枠の外径よりも小さく形成されており、前記第３モータは、前記第２モータと共に前記モータ取付部材に取り付けられることを特徴とする遊技機Ｂ３。
【０１２５】
遊技機Ｂ３によれば、第２モータと第３モータとを一括してモータ取付部材に取り付けできるので、各モータの電気配線をモータ取付部材の１か所に集約でき、各モータへの配線を簡素化できる。
【０１２６】
遊技機Ｂ３において、前記モータ取付部材は、前記照射手段取付部材と同一の部材で構成されていることを特徴とする遊技機Ｂ４。
【０１２７】
遊技機Ｂ４によれば、第２及び第３モータと第２及び第３照射手段とを一括して照射手段取付部材に取り付けできるので、各モータ及び各照射手段の電気配線を照射手段取付部材の１か所に集約でき、各モータ及び各照射手段への配線を簡素化できる。
【０１２８】
遊技機Ｂ１又はＢ２において、前記回転駆動手段は、前記第３リールを回転駆動する第３モータを備え、前記第３リール枠は、前記第３モータの回転軸が連結される連結部が中心部に形成され、その連結部は、前記第２リール枠と対面する側面とは反対側の側面が開放されると共に前記第３モータの外形よりも大きい内部空間を有する中空状に形成され前記内部空間に前記第３モータを収容可能に構成されており、前記連結部の開放された側面から前記内部空間に前記第３モータが収容されることにより、前記第３モータが前記第３リール枠の枠内に配置されることを特徴とする遊技機Ｂ５。
【０１２９】
遊技機Ｂ５によれば、第３モータを第３リール枠の枠内に配置できるので、第３リールと第３モータとを横並びに配置する場合と比較して、スペース上、第３モータを効率良く配置できる。また、第２リール枠と対面する側面とは反対側の側面から第３リール枠の枠内に第３モータを配置することにより、第３モータをリールユニットの外部へ向けて配置できるので、第３モータから発せられる熱を効率良く放熱できる。
【０１３０】
円筒状に形成され軸心を中心として回転可能に構成されるリールと、そのリールを回転駆動する回転駆動手段とを有し、その回転駆動手段によって前記リールを回転駆動することにより、前記リールの外周面に付された複数の識別情報を動的表示するリールユニットを備えた遊技機において、前記リールと係合する係合部を有し、その係合部によって前記リールの径方向への変位を規制する規制手段を備えていることを特徴とする遊技機Ｃ１。
【０１３１】
遊技機Ｃ１によれば、規制手段の係合部がリールと係合することにより、係合部によってリールの径方向への変位が規制される。よって、回転時や回転の開始および停止時におけるリールの径方向への変位を規制手段によって規制できるので、回転に伴うリールのぶれ（振れ）を抑制でき、スムーズにリールを回転させることができる。
【０１３２】
遊技機Ｃ１において、前記規制手段の係合部は、前記リールの外周部と係合することを特徴とする遊技機Ｃ２。
【０１３３】
遊技機Ｃ２によれば、規制手段の係合部は、径方向への変位が最大となるリールの外周部と係合するので、リールのぶれを効率良く抑制できる。
【０１３４】
遊技機Ｃ１又はＣ２において、前記規制手段の係合部は、前記リールの外周形状と対応する円環状に形成され前記リールの外周部と全周で係合することを特徴とする遊技機Ｃ３。
【０１３５】
遊技機Ｃ３によれば、規制手段の係合部は、径方向への変位が最大となるリールの外周部と全周で係合するので、リールのぶれを効率良く且つ確実に抑制できる。
【０１３６】
遊技機Ｃ１からＣ３のいずれかにおいて、前記規制手段の係合部は、断面形状が溝状に形成され前記リールの外周部を挿入可能に構成されており、前記係合部に前記リールが挿入されることにより、前記係合部が前記リールの外周部と径方向外側および径方向内側の両側で係合することを特徴とする遊技機Ｃ４。
【０１３７】
遊技機Ｃ４によれば、規制手段の係合部は、径方向への変位が最大となるリールの外周部と径方向外側および径方向内側の両側で係合するので、リールのぶれを効率良く且つ確実に抑制できる。また、係合部がリールの外周部と径方向外側および径方向内側の両側で係合するので、係合部をリールの外周部の一部と係合させるだけで、リール全体の径方向への変位を規制できる。よって、係合部をリールの外周部と全周で係合させる必要がなく、規制手段を小型化できると共に、その分、設計自由度の向上を図ることができる。
【０１３８】
遊技機Ｃ１からＣ４のいずれかにおいて、隣り合って配置される２の前記リールを備え、前記規制手段は、前記２のリールの間に配置されると共に前記２のリールとそれぞれ係合する２の係合部を有し、それら２の係合部によって前記２のリールの径方向への変位を規制することを特徴とする遊技機Ｃ５。
【０１３９】
遊技機Ｃ５によれば、規制手段は、２のリールの径方向への変位を２の係合部によって規制できるので、１の規制手段によって２のリールのぶれを抑制できる。これにより、部品点数を削減して、リールユニット全体としての製造コストの低減を図ることができる。
【０１４０】
遊技機Ｃ１からＣ４のいずれかにおいて、隣り合って配置される２の前記リールを備え、前記規制手段の係合部は、前記２のリールのうちの一方のリールに形成され前記２のリールのうちの他方のリールと係合するものであり、前記一方のリールによって前記他方のリールの径方向への変位を規制することを特徴とする遊技機Ｃ６。
【０１４１】
遊技機Ｃ６によれば、隣り合って配置される２のリールのうちの一方のリールに形成された係合部によって他方のリールの径方向への変位を規制できるので、かかる他方のリールのぶれを抑制するための専用部品を不要にできる。これにより、部品点数を削減して、リールユニット全体としての製造コストの低減を図ることができる。なお、この場合には、２のリールのうちの一方のリールが他方のリールの径方向への変位を規制する規制手段に該当する。
【０１４２】
遊技機Ａ１からＡ６、Ｂ１からＢ５、Ｃ１からＣ６のいずれかにおいて、前記遊技機はスロットマシンであることを特徴とする遊技機Ｄ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１４３】
遊技機Ａ１からＡ６、Ｂ１からＢ５、Ｃ１からＣ６のいずれかにおいて、前記遊技機はパチンコ遊技機であることを特徴とする遊技機Ｄ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１４４】
遊技機Ａ１からＡ６、Ｂ１からＢ５、Ｃ１からＣ６のいずれかにおいて、前記遊技機はパチンコ遊技機とスロットマシンとを融合させたものであることを特徴とする遊技機Ｄ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０１４５】
１０              スロットマシン（遊技機）
１００            リールユニット
１０１Ｌ          左リール（リール、第１リール）
１０１Ｍ          中リール（リール、第２リール）
１０１Ｒ          右リール（リール、第３リール）
１０２Ｌ          左リール用モータ（回転駆動手段、第１モータ）
１０２Ｍ          中リール用モータ（回転駆動手段、第２モータ）
１０２Ｒ          右リール用モータ（回転駆動手段、第３モータ）
１０３Ｍ          中リール用プレート（照射手段取付部材）
１０６Ｌ          左リール用バックライト（第１照射手段）
１０６Ｍ          中リール用バックライト（第２照射手段）
１０６Ｌ          右リール用バックライト（第３照射手段）
１０７            第１規制部材（規制手段）
１０７ａ          係合部
１０８            第２規制部材（規制手段）
１０８ａ          係合部
１０８ｂ          係合部
１１０            左リール枠（第１リール枠）
１１１            連結部
１２０            中リール枠（第２リール枠）
１２１            収容部
１２３            被収容部
１３０            右リール枠（第３リール枠）
１３１            連結部
２００            リールユニット
２０１Ｒ          右リール（リール、第３リール）
２０３            リール用プレート（照射手段取付部材、モータ取付部材）
２０９            伝達機構
２３０            右リール枠（第３リール枠）
３００            リールユニット
４００            リールユニット
５００            リールユニット
５０１Ｍ          中リール（リール、第２リール）
５２０            中リール枠（第２リール枠）
５０３Ｒ          リール用プレート（照射手段取付部材、モータ取付部材）
６００            リールユニット
６０３Ｍ          中リール用プレート（照射手段取付部材）
【図１】
0005402302.tif 000002
【図２】
0005402302.tif 000003
【図３】
0005402302.tif 000004
【図４】
0005402302.tif 000005
【図５】
0005402302.tif 000006
【図６】
0005402302.tif 000007
【図７】
0005402302.tif 000008
【図８】
0005402302.tif 000009
【図９】
0005402302.tif 000010
【図１０】
0005402302.tif 000011
【図１１】
0005402302.tif 000012
【図１２】
0005402302.tif 000013
【図１３】
0005402302.tif 000014
【図１４】
0005402302.tif 000015
【図１５】
0005402302.tif 000016
【図１６】
0005402302.tif 000017
【図１７】
0005402302.tif 000018